(57)【特許請求の範囲】
【請求項１】
汚れた支持体をクリーニングする方法であって、前記方法が、固体パーティキュレートクリーニング材料を有する配合物を用いて濡れた該支持体の処理を行うバッチ式過程を具備しており、前記配合物が有機溶剤を含まず、前記処理が少なくとも１つのシールされたコンテナー内で前記支持体及び前記配合物を攪拌する過程を有し、前記コンテナーが容積で３０から６０％の充填空積値を提供する方法。
【請求項２】
前記シールされたコンテナーが金属又はプラスチックのコンテナーを有する請求項１記載の方法。
【請求項３】
前記コンテナーが堅い又は柔軟なプラスチック材料で形成されている請求項２記載の方法。
【請求項４】
前記コンテナーが５と５０ｌの間の容量を有するポリプロピレンのバッグ又はサックを備える請求項３記載の方法。
【請求項５】
前記少なくとも１つのコンテナーが単一のコンテナーを備える請求項１から４のいずれか１つに記載の方法。
【請求項６】
前記支持体が第１コンテナー内に置かれ、該第１コンテナーが次いで第２コンテナー内に置かれる請求項１から４の何れか１つに記載の方法。
【請求項７】
前記コンテナーが回転デバイス内で攪拌される請求項１から６の何れか１つに記載の方法。
【請求項８】
前記支持体が紡織繊維を有する請求項１から７の何れか１つに記載の方法。
【請求項９】
前記紡織繊維が天然繊維又は合成繊維を備える請求項８記載の方法。
【請求項１０】
前記支持体が主管水又は生水との接触により濡らされる請求項１から９の何れか１つに記載の方法。
【請求項１１】
前記支持体が重量比で２．５：１と０．１：１の間の支持体対水比を達成するように濡らされる請求項１０記載の方法。
【請求項１２】
前記固定パーティキュレートクリーニング材料が多数のポリマー粒子を備える請求項１から１１の何れか１つに記載の方法。
【請求項１３】
前記ポリマー粒子がポリアミド粒子又はポリエステル粒子を有する請求項１２記載の方法。
【請求項１４】
前記ポリアミド粒子がナイロンビーヅを備え、或いは前記ポリエステル粒子がポリエチレンテレフタレート又はポリブチレンテレフタレートの粒子を有する請求項１３記載の方法。
【請求項１５】
前記ポリマー粒子が球体、直方体又は円柱の形である請求項１２から１４の何れか１つに記載の方法。
【請求項１６】
前記配合物が少なくとも１つの追加クリーニング剤を具備する請求項１から１５の何れか１つに記載の方法。
【請求項１７】
前記少なくとも１つの追加クリーニング剤が前記固定パーティキュレートクリーニング材料と混合される請求項１６記載の方法。
【請求項１８】
前記固定パーティキュレートクリーニング材料対紡織繊維の比が重量比で３０：１から０.１：１の範囲内にある請求項８又は９記載の方法。
【請求項１９】
前記処理が周囲温度と９８℃の間の温度で行われる請求項１から１８の何れか１つに記載の方法。
【請求項２０】
前記処理が１０分と１時間の間の持続時間で行われる請求項１から１９の何れか１つに記載の方法。
【発明の詳細な説明】
【技術分野】
【０００１】
本発明は限定量の水しか使用を要しない無溶剤クリーニングシステムを使う支持体のクリーニングに関する。特に、本発明はこの様なシステムによる紡織繊維のクリーニングに関する。
【背景技術】
【０００２】
ドライクリーニングは、特に従来の水による洗濯方法では除去が難しい疎水性しみの除去用として、繊維工業の主要な重要過程である。しかしながら、大抵の商業用ドライクリーニングシステムは現在パークロロエチレンの様な毒性があり、環境に被害を及ぼす可能性のあるハロゲン化炭化水素溶剤を使っている。これらの溶剤の使用と、それらの貯蔵、取扱い、及び／又は廃棄のニーヅと、は該工業の主要な排水問題を創り出し、これは不可避的にコストを増加させる。
【０００３】
最近、この様なシステムの代替えとして二酸化炭素を使うことが報じられている。かくして、二酸化炭素親和性官能部分を有する界面活性剤と組み合わせて液体二酸化炭素を使用するシステムが提案される一方、超臨界二酸化炭素と組み合わせた従来型界面活性剤の使用も開示されている。しかしながら、二酸化炭素に伴う主要な問題は他の溶剤に対するその低い溶解力である。更に、その手順の幾つかは高圧力システムの使用に依存しているが、これは明らかに欠点であり、何故ならばそれは本質的安全リスクをもたらし、それにより該手順の魅力を減じるからである。
【０００４】
毒性の可能性がある溶剤、或いは高圧二酸化炭素システム、の使用に付随する欠点をこうむらない水性クリーニング過程がなお広く使われているが、該過程は発生する莫大な量の排水の意味で非常に著しい環境上の困難をなお創り出している。結果として、これらの水性クリーニング過程の使用は複雑な廃棄物処理システムの開発を必要とする。
【０００５】
ドライクリーニング過程は、溶剤の使用に依存しながら、これ又該クリーニング過程に水性媒体を組み入れるが、それはドライクリーニングに供される織物及び衣服が、大気からの吸収又は吸着により一般的にその中に捕捉される著しい量の水を不可避的に含むからである。場合によっては、ドライクリーニングの前に織物又は衣服の更に進んだ濡らしが望ましい。しかしながら、従来のドライクリーニング過程で使われるクリーニング配合物は追加量の水性媒体を中に含まず、この面で、ドライクリーニングは標準洗濯手順と異なる。本発明では、クリーニング過程は、本質的に有機溶剤を含まず、限られた量の水のみの使用を要するクリーニング配合物を使い、それにより環境上の著しい利点を提供する。
【０００６】
従来の水性及びドライクリーニング過程に付随する困難及び欠点に照らして、本発明者は本問題への新アプローチを以前に考案したが、該新アプローチは従来技術の方法により示された欠陥が克服されること、そして支持体のクリーニング、特に紡織繊維のクリーニング用の過程を提供すること、を可能にする。提供されたその方法は、一方で液体又は超臨界状態での有害の可能性ある溶剤又は二酸化炭素の、他方で大きな容積の水性流体の、使用の必要性を取り除くが、経済的及び環境上の利点も生じながら、クリーニング及びしみ除去の効率的手段をなお提供出来る。該過程は本質的に有機溶剤を含まず、限られた量の水のみの使用を要するクリーニング配合物を使う。
【０００７】
かくして、特許文献１では、汚れた支持体をクリーニングする方法及び配合物が開示されるが、該方法は加湿された支持体を多数のポリマー粒子を有する配合物で処理する過程を含み、該配合物は有機溶剤を含まない。好ましくは、該支持体は重量比で１：０．１か
ら１：５の間の支持体対水の比を達成するよう濡らされるのがよく、オプションでは該配合物は加えて、洗剤特性を有するのが最も好ましい界面活性剤を備えるのが典型的な少なくとも１つのクリーニング材料を具備する。好ましい実施例では、該支持体は紡織繊維を有し、該ポリマー粒子は例えば、ナイロンチップの形であるのが最も好ましいナイロンの粒子を有する。
【０００８】
続いて、本発明人は該クリーニング操作の終わりでクリーニングされた支持体からクリーニングチップを効率的に分離する課題に取り組み、特許文献１の方法を使って汚損支持体の効率的クリーニングを実現するが、加えて、該クリーニング過程の終わりに該クリーニング媒体から該支持体を効率良く分離することを可能にする装置を特許文献２で開示した。該請求された装置は独立の回転が出来る２つの内部ドラムの使用を要し、工業用及び家庭用の両クリーニング過程での応用が行われる新規設計を提供した。該装置は、回転可能に設置された円柱状ケージであるが、該バスケット（該ケージの意）より大きい直径を有する回転可能に設置された円柱状ドラムの中に同心に配置された該ケージを有するケーシングを備えており、該ケージと該ドラムは該回転可能に設置されたドラムより大きい直径を有する静止円柱状ドラム内に同心で配置され、該ケーシングは該円柱状バスケットの内部へのアクセスを可能にするアクセス手段を有し、そして該回転可能に設置された円柱状のケージと該回転可能に設置された円柱状ドラムは独立に回転するよう適合されている。
【０００９】
しかしながら、特許文献２の装置は支持体、特に紡織繊維の効果的で効率的なクリーニングを可能にするが、特に家庭用を背景にすると、兵站上の理由か又は経済的な理由により、この様な装置の部品が現実的に入手可能でない場合が起こる。その結果、本発明者は今度は特許文献１の方法に基づき、どんな状況下でも、そして特に家庭用の背景で、支持体のクリーニングを可能にする方法を提供することを追求した。かくして、本発明は標準的家庭用装置の使用により、特に家庭用回転乾燥機の使用により行われる方法を提供することを追求する。
【先行技術文献】
【特許文献】
【００１０】
【特許文献１】国際公開第ＷＯ−Ａ−２００７／１２８９６２号パンフレット
【特許文献２】ＰＣＴ特許出願第ＰＣＴ／ＧＢ２０１０／０５０２６１号明細書
【発明の概要】
【００１１】
かくして、本発明によれば、汚染支持体をクリーニングする方法が提供され、前記方法は加湿された支持体を固体パーティキュレートクリーニング材料を有する配合物で処理する過程を具備しており、前記配合物は有機溶剤を含まず、前記処理は少なくとも１つのシールされたコンテナー内での前記支持体及び前記配合物の攪拌過程を有する。
【００１２】
前記シールされたコンテナーは金属又はプラスチックコンテナーを有するのが最も好適である。かくして、例えば、ベースコンテナーと取り付け可能な蓋を有する金属コンテナーが使われるのが便利であり、１例はシール可能な染め壺の様な、ねじにより取り付けられた蓋を有するコンテナーである。典型的には、この様な金属コンテナーは、アルミニウム又はステンレス鋼の様な金属で形成されるが、どんな適当な金属又は金属合金で形成されてもよい。
【００１３】
しかしながら、最も好ましくは、前記シールされたコンテナーは、堅いか又は柔軟なプラスチック材料であってもよいプラスチック材料で形成されるのがよい。好適な堅いコンテナーは、ポリプロピレンの様なポリアルキレンポリマーで形成された、どんな適当な形状のプラスチックコンテナーの形であってもよい。この様なコンテナーの適当な例はタッ
パーウエア（Ｔｕｐｐｅｒｗａｒｅ（Ｒ））コンテナーを含む。しかしながら、最も好ましくは、前記シールされたコンテナーは柔軟なプラスチック材料、好ましくは柔軟なポリアルキレンポリマー、最も好ましくは柔軟なポリプロピレンで形成されるのがよい。前記柔軟なコンテナーは、好ましくは結びにより、又はクリップ又は他の適当なアタッチメントにより、シールされたバッグの形であるのがよい。
【００１４】
適当なコンテナーは、クリーニング過程中攪拌された時、材料の効率的循環と混合を許容するため充分な充填空積を提供しながら、クリーニングされるべき支持体とクリーニング材料を収容するよう充分大きいサイズであらねばならない。典型的には、該方法の利用容量を最大化しながら効率的混合を提供するために、容積で少なくとも１０％、好ましくは容積で少なくとも２０％、最も好ましくは容積で３０から６０％の充填空積値のための余裕が作られるべきである。適当なコンテナーは、例えば５と５０リッターの間の、一般的には２０と３０リッターの間の何れかの容量を有する、例えばポリプロピレンのバッグ又はサックである。
【００１５】
動作時、クリーニングされるべき支持体とクリーニング材料は、該少なくとも１つのコンテナー内に置かれるが、該少なくとも１つのコンテナーはシールされ、攪拌と、好ましくは該システムへの加熱と、を提供出来る装置内に置かれる。典型的には該支持体は単一のコンテナー内に置かれるが、オプションでは該支持体は第１コンテナー内に置かれ、該第１コンテナーは次いでより効率的なシールを達成するために第２コンテナーの内部に置かれる。
【００１６】
加えて、本発明の方法は、種々の支持体を有する多数のコンテナーを提供するよう、種々の支持体が別々のコンテナー内に置かれる実施例を更に予想している。該多数のコンテナーは、次いで攪拌を提供するために適当な装置内に置かれる。この様な実施例では、本発明は、同じ洗濯サイクル内で、種々の固体パーティキュレートクリーニング材料の使用により、多数の、異なるクリーニング環境を提供する可能性を有する。同様な利点は、多数のコンパートメントを有する単一のコンテナーの使用によっても達成されてもよい。
【００１７】
最も効果的なクリーニングは、本発明の方法が高められた温度で行われた時達成される。周りの温度と約９８℃の間のどんな温度でも、該クリーニング方法を行うために簡便に使われてよいが、クリーニングは３０℃と９０℃の間、好ましくは４０℃と６０℃の間の温度で、最も好ましくは約６０℃付近の温度で行われるのがよい。
【００１８】
本発明の方法は、例えば、該望ましい温度に保持された水のバス内で、該シールされたコンテナーを機械的に回転させることにより行われてもよい。代わりに、例えばマイクロ波オーブンの様なデバイスが必要な結果を達成するために使われてもよいが、請求される方法を行う最も満足すべき手段は、種々の材料を含む少なくとも１つのシールされたコンテナーを、適当に上昇した温度に高められた回転乾燥機の様な回転デバイス内に置くことである。典型的には、該処理は１０分と１時間の間の時間、好ましくは約３０分行われる。
【００１９】
本発明の方法は、例えば、プラスチック材料、革、ペーパー、ボール紙、金属、ガラス又は木を含む広範囲の支持体の何れかをクリーニングするため使われてもよい。しかしながら、実際には、前記方法は、紡織繊維衣服を含む支持体のクリーニング用に主に使われ、紡織繊維の効率的クリーニングを達成するのに特に成功していることが示され、該紡織繊維とは、例えば綿の様な天然繊維か、又は人造及び合成の紡織繊維、例えばナイロン６，６、ポリエステル、酢酸セルローズ又はそれらのブレンド繊維か何れかを含んでもよい。
【００２０】
本発明の方法は、前に述べた広い種類の支持体に適用されてもよい。特に、該方法は、天然及び合成の紡織繊維の範囲に亘り適用可能であり、該方法はナイロン６，６、ポリエステル及び綿の織物に関して特に応用を見出す。
【００２１】
本発明の方法による処理の前に、汚れた支持体は、水で濡らすことにより吸湿させられるが、それは該クリーニングシステムに追加の潤滑を提供し、それにより該システム内の輸送特性を改善するためである。かくして、該少なくとも１つのクリーニング材料の該支持体へのより効率的輸送が実現し、該支持体からの汚れ及びしみの除去がより容易に起こる。最も簡便には、該支持体は主管水又は生水との接触により簡単に濡らされる。好ましくは、該濡らし処理は重量比で２．５：１と０．１：１の間の支持体対水比を達成するよう行われ、より好ましくは該比は２．０：１と０．８：１の間であるのがよく、特に好ましい結果は１．５：１、１．２：１及び１．１；１の様な比で達成された。しかしながら、或る環境では、１：５０までの支持体対水比で成功裡の結果が達成されたが、この様な比は発生される著しい量の排水を考えると好ましくない。
【００２２】
本発明の方法は、この水性処理の他に、該方法が追加の溶剤無しに、最も注目すべきは有機溶剤無しに行われる利点を有し、その結果該方法は、安全及び環境の配慮の意味でのみならず経済的意味で従来技術の方法に優る独特の利点を示す。しかしながら、請求される方法で使われる配合物は、この様な溶剤が該配合物に付加されない点で有機溶剤を含まないが、この様な溶剤の極微量が該ポリマー粒子、該支持体、該水、又はクリーニング材料の様な他に付加物内に不可避的に存在することは理解され、それでクリーニング配合物及びバスがこの様な溶剤を絶対含まなくはないことが起こり得る。しかしながら、この様な極微量は本発明の背景では重要ではなく、何故ならばそれらは請求される過程の効率に何等影響を有さず、それらは続く排水廃棄問題をも起こさず、該配合物は従って本質的に有機溶剤を含まないと見られるからである。
【００２３】
本発明の方法は、汚れた支持体をクリーニングする配合物を利用しており、前記配合物は固体パーティキュレートクリーニング材料を含む。好ましくは、前記固体パーティキュレートクリーニング材料は多数のポリマー粒子を有するのがよい。１実施例では、前記配合物は本質的に前記多数のポリマー粒子のみから成り、オプションとして他の実施例では、前記配合物は付加的に少なくとも１つの追加クリーニング剤を含んでもよい。追加物は適当に前記配合物に組み入れられてもよい。
【００２４】
本発明の方法は小さい規模か又は大きい規模か何れかでのバッチ過程用に使われてもよく、従って、家庭用及び工業用クリーニングの両過程での応用がある。しかしながら、それは小規模の家庭用の応用に特に好適である。
【図面の簡単な説明】
【００２５】
本発明の実施例を附属する図面を参照して以下で更に説明する。
【図１】本発明の方法による洗濯の前に綿織物上にセットされたしみのしみパターンを示す。
【図２】コーヒーしみについて未クリーニングゼロス（Ｘｅｒｏｓ）標準しみセットから得られた値と比較したゼロスクリーニング動作後のコーヒーしみのシーアイイーエル＊（ＣＩＥ  Ｌ＊）カラー座標値を示す。
【図３】草しみについて未クリーニングゼロス標準しみセットから得られた値と比較したゼロスクリーニング動作後の草しみのシーアイイーエル＊カラー座標値を示す。
【図４】ボールペンしみについて未クリーニングゼロス標準しみセットから得られた値と比較したゼロスクリーニング動作後のボールペンしみのシーアイイーエル＊カラー座標値を示す。
【図５】トマトケチャップしみについて未クリーニングゼロス標準しみセットから得られた値と比較したゼロスクリーニング動作後のトマトケチャップしみのシーアイイーエル＊カラー座標値を示す。
【図６】靴磨きクリームしみについて未クリーニングゼロス標準しみセットから得られた値と比較したゼロスクリーニング動作後の靴磨きクリームしみのシーアイイーエル＊カラー座標値を示す。
【図７】口紅しみについて未クリーニングゼロス標準しみセットから得られた値と比較したゼロスクリーニング動作後の口紅しみのシーアイイーエル＊カラー座標値を示す。
【図８】真空掃除機塵しみについて未クリーニングゼロス標準しみセットから得られた値と比較したゼロスクリーニング動作後の真空掃除機塵しみのシーアイイーエル＊カラー座標値を示す。
【実施例１】
【００２６】
本発明の方法では、支持体に対する固体パーティキュレートクリーニング材料の比は従来のドライクリーニングシステムの用語の公称“リッカー比”に基づいており、好ましい比は重量比で３０：１から１：１の範囲にあり、好ましくは重量比で１０：１から１：１の領域内にあるのがよく、特に好ましい結果は重量比で５：１と１：１の間の比で、最も好ましくは重量比で４：１付近で達成される。かくして、例えば、５ｇの織物のクリーニング用に、オプションとして界面活性剤でコートされた２０ｇのポリマー粒子が使われる。
【００２７】
前に述べた様に、本発明の方法は、紡織繊維のクリーニングで特別の応用を見出す。この様なクリーニングシステムで使われる条件は、紡織繊維の従来のドライクリーニングに適用される条件と非常に良く合致しており、結果として、一般的に織物の性質と汚れの程度により決まる。かくして、典型的手順と条件は当業者に公知のそれらと調和しており、織物は２０分と１時間の間の持続時間に亘り、例えば、３０℃と９０℃の間の、より好ましくは４０℃と６５℃の間の、最も好ましくは約６０℃で本発明の方法により処理され、次いで水で濯がれ乾燥される。
【００２８】
最も好ましくは、該固体パーティキュレートクリーニング材料は多数のポリマー粒子を有するのがよい。前記ポリマー粒子は広範囲の種類のポリマーの何れかを含んでもよい。特定すると、発泡材でも、又は非発泡材でもよい、ポリエチレンの様な前記ポリアルケン及びポリプロピレン、ポリエステルそしてポリウレタンが挙げられる。しかしながら、好ましくは、前記ポリマー粒子はポリアミド又はポリエステル粒子を、特にナイロン、ポリエチレンテレフタレート又はポリブチレンテレフタレートの粒子を有するのがよい。前記ポリアミド及びポリエステルは、水性のしみ／汚れの除去用に特に有効であるとことが分かる一方、ポリアルケンは、オイルベースのしみの除去に特に有用である。オプションとして上記ポリマー材料のコーポリマーが本発明の目的で使われてもよい。
【００２９】
１実施例では、本発明の方法は、何等更に進んだ添加剤無しに、本質的に多数のポリマー粒子のみから成る配合物での吸湿支持体の処理による汚れ支持体のクリーニングを予想するが、オプションとしての他の実施例では、該使われる配合物は追加的に少なくとも１つの追加クリーニング剤を有してもよい。好ましくは、該少なくとも１つの追加クリーニング剤は、少なくとも１つの界面活性剤を含むのがよい。好ましい界面活性剤は洗剤特性
を有する界面活性剤を含む。前記界面活性剤は、陽イオン性、陰イオン性、及び／又は非イオン性界面活性剤を含んでもよい。しかしながら、本発明の背景では、非イオン性界面活性剤が特に好ましい。好ましくは、前記少なくとも１つの追加のクリーニング剤は前記ポリマー粒子と混合されるのがよい。
【００３０】
ナイロン６，ナイロン６，６、ポリエチレンテレフタレート及びポリブチレンテレフタレートを含むが、それらに限定されない種々のナイロンホモポリマー又はコーポリマーが使われてもよい。好ましくは、該ナイロンは５０００から３００００ドールトン、より好ましくは１００００から２００００ドールトン、最も好ましくは１５０００から１６０００ドールトンの領域内の分子量を有するナイロン６，６ホモポリマーを備えるのがよい。該ポリエステルはＡＳＴＭ  Ｄ−４６０３の様な溶解技術により測定して、０．３−１．５ｄｌ／ｇの範囲内の固有粘度測定値に対応する分子量を有するのが典型的である。
【００３１】
該ポリマー粒子は、良い流動性と紡織繊維との密接な接触とを許容する様な形状とサイズである。円柱形、球形又は直方体の様な種々の形状の粒子が使われてもよく、例えば、環状リング、ドッグボーン及び円形を含む適当な断面形状が使われてもよい。該粒子は、スムーズな又は不規則な面構造を有してもよく、充実構造又は中空構造であってもよい。粒子は５から１００ｍｇ、好ましくは１０から３０ｍｇの領域の平均質量を有するようなサイズであるのが好ましい。典型的にビーヅと呼ばれる、最も好ましい粒子の場合、好ましい平均粒子直径は０．５から６．０ｍｍ、より好ましくは１．０から５．０ｍｍ、最も好ましくは２．５から４．５ｍｍの領域にあり、該ビーヅの長さは好ましくは０．５から６．０ｍｍ、より好ましくは１．５から４．５ｍｍの範囲内にあるのがよく、最も好ましくは２．０から３．０ｍｍの範囲内にあるのがよい。
【００３２】
得られた結果は、編織布で従来のドライクリーニング手順又は家庭用水性クリーニングを行った時、観察された結果と非常によく一致する。本発明の方法により処理された織物で達成されたクリーニング及びしみ除去の程度は非常に良いことが見られ、特に抜きん出た結果は、除去することが難しいことが多い疎水性しみ、水性のしみ及び汚れに関して達成された。該方法は又、染色過程に続き紡織繊維へ適用されるウオッシュオフ手順と、紡績及び機織りの様な過程の後に存在する塵、汗、機械油、そして他の汚染物の除去用に生地工程中で使われる精錬過程と、に応用がある。クリーニング過程の終わりでの繊維へのポリマー粒子付着での問題は観察されなかった。更に、勿論、前に述べた様に、コストと環境配慮の意味での従来のドライクリーニング過程での溶剤の使用に付随して伴う欠点は避けられる、一方必要な水の容積は、従来の洗濯手順の使用に付随する容積より著しく少なく、これ又コスト及び環境的利点の意味で著しい利点を提供する。
【００３３】
加えて、該ポリマー粒子の再利用が可能であること、そして該粒子の多数回使用の後、性能の幾らかの劣化は観察されたが、該粒子がクリーニング手順で満足するよう再使用され得ること、が示された。
【００３４】
本書の説明及び請求項を通して、用語“具備する”及び“含む”とそれらの変種は“含むが限定されない”を意味し、それらは他の、部分、付加部分、部品、完全体又は過程を排除するよう意図されてない（そして排除しない）。本書の説明及び請求項を通して、単数は文脈が他の様に要求しないなら複数を含む。特に、不定冠詞が使われる場合、文脈が他の様に要求しないなら、本書は単数のみならず複数も考慮すると理解されるべきである。
【００３５】
本発明の特定の側面、実施例又は例と連携して説明される特徴、完全体、特性、化合物、化学的部分又はグループは、それらと両立しないとされない限り、ここに説明された何れの他の側面、実施例又は例に適用可能であると理解されるべきである。本書に開示され
た全ての特徴（何れの付随する請求項、要約及び図面も含めて）及び／又はその様に開示された何れの方法又は過程の全てのステップ、は、この様な特徴及び／又はステップの少なくとも幾つかが相互に排除性である組み合わせを除いて、どんな組み合わせで組み合わされてもよい。本発明は前記何れの実施例の詳細にも限定されない。本発明は、本書（何等かの付随する請求項、要約書及び図面を含んで）で開示した特徴の、何れの新規な１つ、又は何れの新規な組み合わせ、へも拡張されるものであり、又同じく開示した何れの方法又は過程のステップの、何れの新規な１つ、又は何れの新規な組み合わせ、へも拡張されるものである。
【００３６】
読者の注意は、本願明細書と連携して本願明細書と同時に又は本願明細書の前に出願された、そして本願明細書と共に公的注目へと開かれた全ての文献及び文書に向けられており、全てのこの様な文献及び文書の内容は引用によりここに組み入れられる。
【００３７】
本発明の方法が、本発明の範囲を何等限定する仕方でなく、下記例を参照してここに例示される。
【００３８】
例
例１
織られた綿織物（２８２ｇ／ｍ２）が下記に説明する方法に従ってコーヒー及びトマトケチャップを使ってしみを付けられた。
（ｉ）トマトケチャップ
ハインツ（Ｈｅｉｎｚ（Ｒ））トマトケチャップが該織物に合成スポンジを使って５ｃｍプラスチックテンプレートの範囲内で付けられた。該しみの付いた織物は次いで３０分間４０℃で乾燥され、その後、該織物は使用前に４日間の暗所内貯蔵により定着された。
（ｉｉ）コーヒー
１０ｇのエイエスデーエイ  スマートプライスコーヒー（ＡＳＤＡ（Ｒ）  Ｓｍａｒｔ
Ｐｒｉｃｅ  ｃｏｆｆｅｅ）粉末が５０ｍｌの蒸留水内に７０℃で溶かされた。続いて該溶液の１ｃｍ３のアリクォートが合成スポンジを使って５ｃｍプラスチックテンプレートの範囲内で該織物に付けられた。該しみの付いた織物は次いでトマトケチャップ用に説明した手順に従い乾燥され、定着された。
【００３９】
インビスタテキスタイル（Ｉｎｖｉｓｔａ  Ｔｅｘｔｉｌｅｓ）｛ユーケー（ＵＫ）｝社から得られた約５ｍｍ×５ｍｍの大きさのナイロン６，６のビーヅがクリーニング過程で使われた。
【００４０】
該しみの付いた織物は１ｋｇ羽根枕の綿カバースリップにピン留めされた。該枕はジョンソンクリーナー（Ｊｏｈｎｓｏｎｓ  Ｃｌｅａｎｅｒｓ）ユーケー社により供給されており、バラストとして使われた。該しみの付いた綿織物／枕複合体は、４００ｃｍ３蒸留水と、１：１、５：１、１０：１、１５：１そして２０：１のビーヅ対織物比を実現するのに充分なナイロン６，６ビーヅと、一緒にナイロン縦糸編みネットバッグ内に置かれた。該縦糸編みバッグはポリエステル織物リボンを使ってシールされた。該シールされた縦糸編みバッグは次いで、やはりポリエステル織物リボンを使ってシールされたポリプロピレンバッグ内に置かれた。
【００４１】
該縦糸編みバッグと該ポリエステルバッグは一緒にコンテナーを形成し、該コンテナー内でクリーニングが行われた。前記コンテナーはエレクトロラックス  ワスケーター（Ｅｌｅｃｔｒｏｌｕｘ（Ｒ）  Ｗａｓｃａｔｏｒ）テーテー（ＴＴ）５００の回転乾燥機内に置かれ、３０分間約７０℃で加熱され、該時間後、該綿織物／枕複合体は除去され、該しみの付いた綿織物は該綿枕カバースリップから除去され、全材料は乾燥させられた。
【００４２】
クリーニングの評価
該乾燥したしみの付いた織物は目視評価法を用いて評価された。クリーニング済み及び元の未クリーニングの織物がＤ６５光源下でグレイ背景の場に置かれ、国際ファブリケア学会（Ｉｎｔｅｒｎａｔｉｏｎａｌ  Ｆａｂｒｉｃａｒｅ  Ｉｎｓｔｉｔｕｔｅ）｛アイエフアイ（ＩＦＩ）｝により使われる評価用提案スケールに基づき下記の１から５のスケールを使い目視評価された。
５：しみが完全に除かれた（痕跡が見えない）
４：しみが殆ど除かれた
３：しみが僅かに除かれた
２：しみは殆ど元通り
１：しみは元から変わらず
【００４３】
表１は種々のビーヅ対織物比を使い達成されたしみ除去のレベルを示し、該表から１：１と１：１５の間の比の変更は、しみ除去の程度に少しの影響しか有しないことは明らかである。１：２０のビーヅ対織物比の場合、しみ除去が最低であることが明らかであり、これはビーヅ対織物比の適当なレベルの取り換えを可能にするのに不適当な充填空積しか該コンテナー内に無かったことに帰せられる。
【００４４】
【表１】
0005694295.tif 000002
【００４５】
例２
白いポリエステル／綿３／４スリーブシャツ｛マタラン（Ｍａｔａｌａｎ（Ｒ））｝が使われ、該シャツがカラー及びカッフへの真空掃除機塵の付着でしみを付けられた。
【００４６】
バラストはイーエムピーエイテスト材料（ＥＭＰＡ  Ｔｅｓｔ  ｍａｔｅｒｉａｌｓ）から得られた２つの綿枕ケースを有している。
【００４７】
ディストラポル社（Ｄｉｓｔｒｕｐｏｌ  Ｌｔｄ．）から得られたナイロン６，６｛１０１エルエヌシー−０１０ザイテル（１０１Ｌ  ＮＣ−０１０  ＺＹＴＥＬ）｝ビーヅが、２ｇ／ｌのパーシル  バイオ（Ｐｅｒｓｉｌ（Ｒ）  Ｂｉｏ）を含む洗剤と一緒に、クリーニング操作で使われた。
【００４８】
下記の３種類のナイロンバッグが使われた：
−２重縫い目（ｄｏｕｂｌｅ  ｓｔｉｔｃｈｉｎｇ）で強化されたエッジを有するナイロンバッグ；
−強度増加用にエッジに織物テープが付けられたナイロンネットバッグ；
−軽量の平織物（ｖｏｉｌｅ）とオーガンザ（Ｏｒｇａｎｚａ）で作られた織物バッグ。
【００４９】
ゼロス（Ｘｅｒｏｓ）クリーニングサイクル（６０℃で１０，１５，２０又は３０分間）及び通気サイクル（６０℃で１０，１５及び２０分間のみならず３０℃で２０分間）用に、イーデーユー（ＥＤＵ）ウイン（Ｗｉｎ）コンピュータソフトウエアを運転するＰＣを使ってプログラムされたダニューブ（Ｄａｎｕｂｅ）の商業用回転乾燥機が使われた。
【００５０】
４枚のシャツが綿バラストと一緒に（合計質量１ｋｇ）、更に１Ｌの蒸留水、５ｋｇのポリマービーヅ、そして２ｇ／ｌのパーシル  バイオ洗剤と一緒にして、５３３ｍｍ×８１３ｍｍポリプロピレンサック内に置かれた。該シールされたサックは該ダニューブ回転乾燥機内に置かれ、６０℃、３０分のサイクルと続く５分のクールダウンサイクルで運転された。
【００５１】
クリーニングの評価
達成されたクリーニングのレベルは乾燥したシャツ地を使って目視評価された。塵のしみは該シャッツサンプルから完全に除去されたことが見出された。
【００５２】
例３
織られた綿織物（１９４ｇ／ｍ２）が下記説明の方法に従い、コーヒー及びトマトケチャップを使ってしみを付けられた。
（ｉ）トマトケチャップ
ハインツのトマトケチャップが合成スポンジを使い、５ｃｍプラスチックテンプレートの範囲内で該織物に付けられ、該しみを付けられた織物は次いで４０℃で３０分間乾燥され、該乾燥後、該織物は使用前、４日間の暗所内貯蔵によりしみを定着された。
（ｉｉ）コーヒー
１０ｇのエイエスデーエイ  スマートプライスコーヒー粉末が５０ｍｌの蒸留水内で７０℃で溶かされた。続いて該溶液の１ｃｍ３のアリクォートが合成スポンジを使って５ｃｍプラスチックテンプレートの範囲内で、該織物に付けられた。該しみの付いた織物は次いで乾燥され、トマトケチャップ用に詳述された手順に従い定着された。
【００５３】
インビスタテキスタイル（ユーケー）社から得られた約５ｍｍ×５ｍｍの大きさのナイロン６，６ビーヅが使われた。
【００５４】
該しみの付いた織物は、１：２の水：織物比を提供する蒸留水と、１５：１のビーヅ：織物比を提供するナイロンビーヅと一緒に、２０００ｃｍ３容量のポリプロピレンコンテナー内に置かれた。該コンテナーは堅くシールされ、次いでホワイトナイトセンソドライ（Ｗｈｉｔｅ  Ｋｎｉｇｈｔ  Ｓｅｎｓｏｄｒｙ）コンパクトモデル（Ｃｏｍｐａｃｔ  Ｍｏｄｅｌ）シーエル（ＣＬ）３１１／１ダブリュー（Ｗ）回転乾燥機内に置かれ、３０分間、フルパワーの熱設定を使い回転された。この時間の終わりに、該織物は該コンテナーから除かれ開放大気中で乾燥された。
【００５５】
該しみを付けられた織物を処理するために、商業的に入手可能なスポット処理法が、下記のそれぞれの製造者により提供される指示書に従って使われた。
・オキシクリーン（Ｏｘｉ  ｃｌｅａｎ）しみ除去剤（ｓｔａｉｎ  ｒｅｍｏｖｅｒ）｛チャーチアンドドゥワイト社（Ｃｈｕｒｃｈ  ａｎｄ  Ｄｗｉｇｈｔ  Ｃｏ．  Ｉｎｃ．）｝
・バニッシ  オキシアクションホワイト（Ｖａｎｉｓｈ（Ｒ）  Ｏｘｉ  Ａｃｔｉｏｎ
Ｗｈｉｔｅ）｛レッキットベンカイザーピーエルシー（Ｒｅｃｋｉｔｔ  Ｂｅｎｃｋｉｓｅｒ  Ｐｌｃ）；５０℃の水１００ｃｍ３内に供給される大さじ１／４の濃度で付けられた｝
・バニッシ  オキシアクションマルチ（Ｖａｎｉｓｈ（Ｒ）  Ｏｘｉ  Ａｃｔｉｏｎ  Ｍｕｌｔｉ）｛レッキットベンカイザーピーエルシー；５０℃の水１００ｃｍ３内に供給される大さじ１／４の濃度で付けられた｝
・バニッシ  オキシアクションプレウォッシュスプレイ（Ｖａｎｉｓｈ（Ｒ）  Ｏｘｉ
Ａｃｔｉｏｎ  ｐｒｅ−ｗａｓｈ  ｓｐｒａｙ）（レッキットベンカイザーピーエルシー）
・オキシアクション（Ｏｘｉ  ａｃｔｉｏｎ）及びステインファイター（ｓｔａｉｎ  ｆｉｇｈｔｅｒｓ）付きバニッシ  プレウォッシュ（Ｖａｎｉｓｈ（Ｒ）  ｐｒｅ−ｗａｓｈ）しみ除去剤（レッキットベンカイザーピーエルシー）
・ゴーオキシジェン粉末（Ｇｏ  ｏｘｙｇｅｎ  ｐｏｗｄｅｒ）（エイエスデーエイアール）
【００５６】
それぞれのスポット処理を使って処理された該しみの付いた織物は２０００ｃｍ３容量ポリプロピレンコンテナー内に置かれ、上記説明のクリーニング過程に供された。この時間の終わりで該織物は該コンテナーから除去され、開放大気中で乾燥させられた。
【００５７】
クリーニングの評価
該乾燥されたしみ付きサンプルは目視評価法を使い評価された。クリーニング済み織物及び元の未クリーニング織物がＤ６５光源下のグレイ背景上に置かれ、例１に詳述した国際ファブリケア学会（アイエフアイ）により使われる評価用に提案されたスケールに基づき１−５スケールを使い目視評価により評価された。
【００５８】
表２の結果は、しみ除去がスポット処理を欠いたクリーニングに比較して、商業的スポット処理の各々を使うともっと効果的になることを示す。該種々の商業的スポット処理は同じ様なレベルのしみ除去をもたらした。
【００５９】
【表２】
0005694295.tif 000003
【００６０】
例４
織られた綿織物｛１９４ｇ／ｃｍ２、ホウェーレイ（Ｗｈａｌｅｙｓ）、ブラドフォード（Ｂｒａｄｆｏｒｄ）、ユーケー｝が下記説明の方法に従ってコーヒー、口紅、ボールペン、トマトケチャップ、靴磨きクリーム、草及び真空掃除機塵でしみを付けられた。
（ｉ）コーヒー
１０ｇのモリソン  フルローストコーヒー（Ｍｏｒｒｉｓｏｎｓ（Ｒ）  Ｆｕｌｌ  Ｒｏａｓｔ  ｃｏｆｆｅｅ）粉末が５０ｍｌの蒸留水内で７０℃で溶かされた。続いて該溶液の１ｃｍ３のアリクォートが合成スポンジを使って５ｃｍ直径の円形プラスチックテンプレートの範囲内で、該織物に付けられた。該しみの付いた織物は次いで周囲温度（２３℃）で乾燥され、その後該織物は使用前に４日間の暗所内貯蔵によりしみを定着された。（ｉｉ）口紅
レブロン  スーパーラストラス（Ｒｅｖｌｏｎ（Ｒ）  Ｓｕｐｅｒ  Ｌｕｓｔｒｏｕｓ）口紅｛カッパーフロストシェード（ｃｏｐｐｅｒ  ｆｒｏｓｔ  ｓｈａｄｅ）｝が、合成スポンジを使って５ｃｍ直径の円形プラスチックテンプレートの範囲内を均一にカバーするよう該織物に付けられた。該織物は次いでコーヒー用に詳述された手順に従いしみを定着された。
（ｉｉｉ）ボールペン
黒のペーパーメイト  フレックスグリップウルトラ（Ｐａｐｅｒ  Ｍａｔｅ（Ｒ）  Ｆｌｅｘ  Ｇｒｉｐ  Ｕｌｔｒａ）ボールペンが５ｃｍ直径の円形プラスチックテンプレートの範囲内で該織物を均一にカバーするよう使われた。該織物は次いでコーヒー用に詳述された手順に従い定着された。
（ｉｖ）トマトケチャップ
ハインツのトマトケチャップが合成スポンジを使って５ｃｍ直径の円形プラスチックテンプレートの範囲内を均一にカバーするよう該織物に付けられた。該織物は次いでコーヒー用に詳述した手順に従い定着された。
（ｖ）靴磨きクリーム
キウィ（Ｋｉｗｉ（Ｒ））黒靴磨きクリームが合成スポンジを使って５ｃｍ直径円形プ
ラスチックテプレートの範囲内を均一にカバーするよう該織物に付けられた。該織物は次いでコーヒー用に詳述した手順に従い定着された。
（ｖｉ）草
エムジー（ＭＧ）７（国家植生分類）ソースから草が手で集められた。１０ｇの該草が鋏で寸断され、電子式ブレンダーを使って２００ｍｌの生水とブレンドされた。該混合物は次いで金属シーブを使って濾過され、該濾過液はしみ付け媒体として使われた。これは合成スポンジを使って５ｃｍ直径円形プラスチックテンプレートの範囲内を均一にカバーするよう該織物に付けられた。該織物は次いでコーヒー用に詳述された手順に従い定着された。
（ｖｉｉ）真空掃除機塵
真空掃除機塵が一般家庭用の真空バッグから手で集められた。２５ｇの真空掃除機塵が１００ｍｌの生水と混合され、該混合物は該織物にしみを付けるため用いられた。これは合成スポンジを使って５ｃｍ直径の円形プラスチックテンプレートの範囲内で均一にカバーするよう該織物に付けられた。該織物は次いでコーヒー用に詳述された手順に従って定着された。
【００６１】
ここでしみ（ｉ）−（ｖｉｉ）の各々は、標準ゼロスしみセットを構成するために、図１に説明するパターンで１枚の（３６ｃｍ×３０ｃｍ）の綿織物片に付けられた。ここで、該パターンは下記の様である。
・コーヒーは頂部左隅にあり、しみの中心は織物片の各エッジから５ｃｍにある。
・口紅は頂部右隅にあり、しみの中心は織物片の各エッジから５ｃｍにある。
・草は底部左隅にあり、しみの中心は織物片の各エッジから５ｃｍにある。
・真空掃除機塵は底部右隅にあり、しみの中心は織物片の各エッジから５ｃｍにある。
・靴磨きクリーム、ケチャップ及びボールペンは該織物片の中央を横切るよう一行に並び、該織物片のエッジから５ｃｍでスタートして、左から右へ各５ｃｍ隔てられる。
【００６２】
クリーニング操作では、ディストラポール社から得られたナイロン６，６（１０１エルエヌシー０１０ザイテル）ビーヅが使われた。
【００６３】
洗濯負荷はバラストとして使われたイーエムピーエイテスト材料から得られた４つの綿枕ケースにプラスして上記説明の２つの標準ゼロスしみセットを含んでいる。合計ドライ洗濯負荷質量は１ｋｇであった。
【００６４】
この洗濯負荷は１Ｌの生水、５ｋｇのポリマービーヅそして４ｇ／ｌのパーシルアールバイオ洗剤と一緒に、５３３ｍｍ×８１３ｍｍポリプロピレンサック内に置かれた。シールされた該サックはダニューブ回転乾燥機内に置かれ、６０℃で３０分間及び続く５分のクールダウンのサイクルで運転された。
【００６５】
この過程は、各回新しい洗濯負荷を使うが、ビーヅは同じサンプルを使って１００回繰り返された。洗濯間には該ビーヅの別のクリーニングは無かった。
【００６６】
ゼロス標準しみセットは分析の前に、各洗濯後周囲温度（２３℃）で吊り干しされた。
【００６７】
クリーニングの評価
達成されたクリーニングのレベルはカラー測定を使い評価された。サンプルの反射率値は、光源Ｄ６５下で、１０°標準オブザーバーを使い、かつパーソナルコンピュータとインターフエースされたデータカラースペクトラフラッシュ（Ｄａｔａｃｏｌｏｒ  Ｓｐｅｃｔｒａｆｌａｓｈ）エスエフ（ＳＦ）６００分光測光器を使って測定され、ＵＶ成分は含み、光沢成分は排除し、３ｃｍ視認用アパーチャーが使われた。１枚厚さの織物を使う測定が行われた。シーアイイーエル＊カラー座標が取られ、結果は図２−８で表される。
対照として、同じ測定が比較用の未クリーニングゼロス標準しみセット上で使用された全部で７つのしみについて行われた（それぞれ図２−８で洗濯番号０としてマークされる）。
【００６８】
図２−８は全てのしみの種類について、そして全部で１００の洗濯運転に亘り、未洗濯しみに比較して、ゼロスクリーニング後に著しいエル＊（従って良好なしみ除去）の増加を示すことが観察される。
【図１】
0005694295.tif 000004
【図２】
0005694295.tif 000005
【図３】
0005694295.tif 000006
【図４】
0005694295.tif 000007
【図５】
0005694295.tif 000008
【図６】
0005694295.tif 000009
【図７】
0005694295.tif 000010
【図８】
0005694295.tif 000011